(57)【要約】【課題】フローリング、じゅうたん、カーペット、畳等のすべての床面にたいして、高い清掃効果を得ることのできる、掃除機用床ノズルを提供する。【解決手段】床面に付着している塵埃を吸引する為の掃除機用床ノズルにおいて、前記床ノズルの底面に清掃体が形成されてあり、前記清掃体は、基布及び毛腰の異なる複数種類のブラシ繊維より形成され、前記ブラシ繊維は前記基布の長手方向にたいして互いに隣接するよう並列に形成されてあるものである。【選択図】        図３
2004267723.tif 000002
【特許請求の範囲】
【請求項１】
床面に付着している塵埃を吸引する為の掃除機用床ノズルにおいて、前記床ノズルの底面に清掃体が形成されてあり、前記清掃体は、基布及び毛腰の異なる複数種類のブラシ繊維より形成され、前記ブラシ繊維は前記基布の長手方向にたいして互いに隣接するよう並列に形成されてあることを特徴とする掃除機用床ノズル。
【請求項２】
請求項１記載の構成よりなる掃除機用床ノズルにおいて、前記床ノズルの車輪に清掃体が形成されてあることを特徴とする掃除機用床ノズル。
【請求項３】
請求項１記載の構成よりなる掃除機用床ノズルにおいて、前記床ノズルのバンパーに清掃体が形成されてあることを特徴とする掃除機用床ノズル。
【発明の詳細な説明】
【０００１】
【発明の属する技術分野】
本発明は、床面に付着している塵埃を吸引する為の掃除機用床ノズルに関するものである。
【０００２】
【従来の技術】
従来の掃除機用床ノズルを、以下図１から図２を用いて説明する。図１は、従来の掃除機用床ノズルを上面側から見た斜視図である。図２は、図１の掃除機用床ノズルを床面側から見た底面図である。図１及び図２において、１は掃除機用床ノズル、２は本体ケース、３は清掃板、４は植毛ブラシ、５はバンパー、６は開口である。
【０００３】
従来の掃除機用床ノズルに関しては、様々な改良がなされ、例えば、図１から図２の如く、本体ケース２の断面形状を床面側の中央部がふくらんだ略三角形とし、横長の開口６の近傍に植毛ブラシ４が形成されてあると共に、本体ケース２の周囲にバンパー５が形成されてあり、床面側に清掃板３と開口６を有し、清掃板３に不織シート等を使用する技術が、特開２００１−２２４５３７号にて開示されてある。
【０００４】
【発明が解決しようとする課題】
従来の掃除機用床ノズルにおいては、上記の如くの様々な改良を実施して、床面に付着している塵埃等を清掃していた。ところで、一般には、床面としては、フローリング、じゅうたん、カーペット、畳等があるが、塵埃等を清掃する方法としては、床ノズルにて、塵埃等を吸引する方法が採用されていた。しかしながら、従来の掃除機用床ノズルにおいては、床面側に形成されてある植毛ブラシ４にたいして塵埃等が付着すると、吸引をしている時であっても、容易に、塵埃等が植毛ブラシ４から取り除けないという課題を有していた。また、植毛ブラシ４は、毛腰が均一の一種類のみのブラシ繊維が使用されてある為、フローリング、じゅうたん、カーペット、畳等のすべての床面にたいして、十分に高い清掃効果を得ることは、できなかった。その為、フローリング、じゅうたん、カーペット、畳等のすべての床面にたいして、高い清掃効果を得ることのできる、掃除機用床ノズルの技術が求められていた。
【０００５】
【課題を解決するための手段】
本発明は、次のように構成したものである。
（１）床面に付着している塵埃を吸引する為の掃除機用床ノズルにおいて、前記床ノズルの底面に清掃体が形成されてあり、前記清掃体は、基布及び毛腰の異なる複数種類のブラシ繊維より形成され、前記ブラシ繊維は前記基布の長手方向にたいして互いに隣接するよう並列に形成されてあるものである。
【０００６】
（２）上記（１）記載の掃除機用床ノズルにおいて、前記床ノズルの車輪に清掃体が形成されてあるものである。
【０００７】
（３）上記（１）記載の掃除機用床ノズルにおいて、前記床ノズルのバンパーに清掃体が形成されてあるものである。
【０００８】
【発明の実施の形態】
実施の形態１
図３から図４に実施の形態１を示す。図３は、本発明の実施の形態１の掃除機用床ノズルの底面図である。図３において、１０は回転ロータ、１１は床ノズル、１２は本体ケース、１３、１４、２３、２４は清掃体、１６は開口である。図４は、図３に使用する清掃体を前面側から見た斜視図である。図４において、８は基布、９は段差、１３は清掃体、１８、１９はブラシ繊維である。
【０００９】
本発明の掃除機用床ノズル１１は、図３の如く、回転ロータ１０、本体ケース１２、清掃体１３、１４、２３、２４及び開口１６より形成されてある。本体ケース１２は、開口１６を有し、回転ロータ１０が内蔵されてある。本体ケース１２の底面前側には、清掃体１３、１４が形成されてあり、底面後側には、清掃体２３、２４が形成されてある。
【００１０】
清掃体１３は、図４の如く、基布８及びブラシ繊維１８、１９より形成されてある。基布８は、概短冊形状に形成されてあり、上面には、段差９を有して、ブラシ繊維１９が、両側からブラシ繊維１８に挟み付けられるように形成されてある。また、ブラシ繊維１８及びブラシ繊維１９は、毛腰が異なるように形成されてあり、基布８の長手方向にたいして、ブラシ繊維１８及びブラシ繊維１９が、互いに隣接するよう並列に形成されてある。清掃体１４、２３、２４の構造についても、清掃体１３と同様である。
【００１１】
ブラシ繊維１８の材質には、ナイロン繊維が使用されてあり、ブラシ繊維１９の材質には、ポリエステル繊維が使用されてある。繊維の硬さは、ブラシ繊維１８の硬さが、ブラシ繊維１９の硬さに比べて、毛腰が強くなるように形成されてある。
【００１２】
清掃体１３、１４及び清掃体２３、２４は、図３の如く、開口１６の長手方向にたいして、２種類のブラシ繊維が、開口１６の中央部にたいして、概Ｖ字形状を有して、互いに隣接するよう並列に形成されてある。
【００１３】
本発明の実施の形態１の掃除機用床ノズル１１は、上記の如くの構成となっているので、床ノズル１１を使用した場合においては、床面がじゅうたん、カーペット、畳等の場合には、ブラシ繊維１８が、じゅうたんの奥、あるいは畳のいぐさの隙間にある塵埃等を、掻き出すことができる。また、床面がフローリングの場合には、ブラシ繊維１８が、床面の表面にある塵埃等を、掻き出すことができると共に、ブラシ繊維１９が、床面の表面を磨き上げることができる。
【００１４】
また、清掃体１３、１４及び清掃体２３、２４は、開口１６の長手方向にたいして、２種類のブラシ繊維が、開口１６の中央部にたいして、概Ｖ字形状を有して、互いに隣接するよう並列に形成されてある為、床面の表面にある塵埃等を、開口１６の中央部に集めることができると共に、床ノズル１１にて、吸い込むことができる。さらにまた、清掃体１３、１４、２３、２４は、基布８及びブラシ繊維１８、１９より形成されてある為、床面等を傷つけることが無い。
【００１５】
本発明の実施の形態１の掃除機用床ノズル１１は、上記の如くの構成となっているが、清掃体１３、１４、２３、２４のブラシ繊維の材質、硬さ、段差、構造等については、目的に応じて、例えば、ナイロン繊維、ポリエステル繊維以外の繊維を使用したり、最適な硬さを設定したり、段差を無くしたり、段差により形成される凹凸状態を逆転させて設定したり、ブラシ繊維の種類あるいは配列を変更しても、何ら支障は無い。
【００１６】
次に、図５に実施の形態１の他の実施例を示す。図５は、本発明の実施の形態１の他の実施例の掃除機用床ノズルを示す底面図である。図５において、２０は回転ロータ、２１は床ノズル、２２は本体ケース、２６は開口、２８、２９はブラシ繊維、３３は清掃体である。本発明の実施の形態１の他の実施例の掃除機用床ノズル２１は、図５の如く、本体ケース２２の底面後側に、回転ロータ２０の長手方向にたいして平行になるよう、清掃体３３が形成されてある。清掃体３３は、ブラシ繊維２８、２９より形成されてあり、ブラシ繊維２９が、段差を有して、両側からブラシ繊維２８に挟み付けられるように形成されてある。また、ブラシ繊維２８及びブラシ繊維２９は、毛腰が異なるように形成されてあり、互いに隣接するよう並列に形成されてある。
【００１７】
本発明の実施の形態１の他の実施例の掃除機用床ノズル２１は、上記の如くの構成となっているので、床ノズル２１を押すことにより、進行させて使用した場合においては、床面の表面にある塵埃等の吸い残しを、集めることができる。また、清掃体３３は、ブラシ繊維２９が、段差を有して、両側からブラシ繊維２８に挟み付けられるように形成されてある為、段差を設定することにより、床ノズル２１及び床面の間において、床ノズル２１が吸い込む時に最適になるような空気流を設定することができる。
【００１８】
実施の形態２
図６から図７に実施の形態２を示す。図６は、本発明の実施の形態２の掃除機用床ノズルの底面図である。図６において、３０は回転ロータ、３１は床ノズル、３２は本体ケース、３５は後車輪、３６は開口、３７は前車輪、４３は清掃体である。図７は、図６に使用する清掃体の断面図である。図７において、３８、３９はブラシ繊維である。
【００１９】
本発明の掃除機用床ノズル３１は、図６の如く、回転ロータ３０、本体ケース３２、後車輪３５、開口３６、前車輪３７及び清掃体４３より形成されてある。本体ケース３２は、開口１６を有し、底面前側には、前車輪３７が形成されてあり、底面後側には、後車輪３５が形成されてあると共に、回転ロータ１０が内蔵されてある。後車輪３５の外周には、清掃体４３が形成されてある。
【００２０】
清掃体４３は、図７の如く、段差を有して、ブラシ繊維３８、３９が形成されてあり、ブラシ繊維３９が、両側からブラシ繊維３８に挟み付けられるように形成されてある。また、ブラシ繊維３８及びブラシ繊維３９は、毛腰が異なるように形成されてあり、後車輪３５の外周方向にたいして、ブラシ繊維３８及びブラシ繊維３９が、互いに隣接するように形成されてある。
【００２１】
ブラシ繊維３８の材質には、ナイロン繊維が使用されてあり、ブラシ繊維３９の材質には、ポリエステル繊維が使用されてある。繊維の硬さは、ブラシ繊維３８の硬さが、ブラシ繊維３９の硬さに比べて、毛腰が強くなるように形成されてある。
【００２２】
本発明の実施の形態２の掃除機用床ノズル３１は、上記の如くの構成となっているので、床ノズル３１を使用した場合においては、床面等を傷つけることが無く、車輪を使用することができる。
【００２３】
本発明の実施の形態２の掃除機用床ノズル３１は、上記の如くの構成となっているが、清掃体４３のブラシ繊維の材質、硬さ、段差、構造等については、目的に応じて、例えば、ナイロン繊維、ポリエステル繊維以外の繊維を使用したり、最適な硬さを設定したり、段差を無くしたり、段差により形成される凹凸状態を逆転させて設定したり、ブラシ繊維の種類あるいは配列を変更しても、何ら支障は無い。また、清掃体の使用箇所についても、後車輪のみならず、例えば、前車輪、側面車輪等、目的に応じて、適時、設定しても、何ら支障は無い。
【００２４】
次に、図８に実施の形態２の他の実施例を示す。図８は、本発明の実施の形態２の他の実施例の掃除機用床ノズルを示す底面図である。図８において、４０は回転ロータ、４１は床ノズル、４２は本体ケース、４５はローラー、４６は開口、４８、４９はブラシ繊維、５３は清掃体である。本発明の実施の形態２の他の実施例の掃除機用床ノズル４１は、図８の如く、本体ケース４２の底面後側に、回転ロータ４０の長手方向にたいして平行になるよう、ローラー４５が形成されてある。ローラー４５の外周には、清掃体５３が形成されてある。清掃体５３は、段差を有して、ブラシ繊維４８、４９が形成されてあり、ブラシ繊維４９が、両側からブラシ繊維４８に挟み付けられるように形成されてある。また、ブラシ繊維４８及びブラシ繊維４９は、毛腰が異なるように形成されてあり、ローラー４５の外周方向にたいして、ブラシ繊維４８及びブラシ繊維４９が、互いに隣接するように形成されてある。
【００２５】
本発明の実施の形態２の他の実施例の掃除機用床ノズル４１は、上記の如くの構成となっているので、床ノズル４１を使用した場合においては、床面の表面にある塵埃等の吸い残しを、ローラー４５の外周方向に形成されてあるブラシ繊維４８及びブラシ繊維４９により、拭くことができる。また、床面の表面にある、長い繊維、毛髪、糸くず等を、ローラー４５の外周方向に形成されてあるブラシ繊維４８及びブラシ繊維４９に、巻き付けることにより、清掃することができる。
【００２６】
実施の形態３
図９から図１０に実施の形態３を示す。図９は、本発明の実施の形態３の掃除機用床ノズルの底面図である。図９において、５０は回転ロータ、５１は床ノズル、５２は本体ケース、５６は開口、５８、５９はブラシ繊維、６３は清掃体である。図１０は、図９の使用状態の一例を示す断面図である。図１０において、６０は不織布、７０は床面である。
【００２７】
本発明の掃除機用床ノズル５１は、図９の如く、回転ロータ５０、本体ケース５２、開口５６、及び清掃体６３より形成されてある。本体ケース５２は、開口５６を有し、側面外周には、バンパーとして、清掃体６３が形成されてあると共に、回転ロータ５０が内蔵されてある。
【００２８】
清掃体６３は、段差を有して、ブラシ繊維５８、５９が形成されてあり、ブラシ繊維５９が、両側からブラシ繊維５８に挟み付けられるように、形成されてある。また、ブラシ繊維５８及びブラシ繊維５９は、毛腰が異なるように形成されてあり、本体ケース５２の側面外周方向にたいして、ブラシ繊維５８及びブラシ繊維５９が、互いに隣接するように形成されてある。
【００２９】
ブラシ繊維５８の材質には、ナイロン繊維が使用されてあり、ブラシ繊維５９の材質には、ポリエステル繊維が使用されてある。繊維の硬さは、ブラシ繊維５８の硬さが、ブラシ繊維５９の硬さに比べて、毛腰が強くなるように形成されてある。
【００３０】
次に、本発明の掃除機用床ノズル５１の使用状態を説明する。掃除機用床ノズル５１は、図１０の如く、不織布６０の一端を、清掃体６３に押し付けることにより係止させた後、床面７０に使用される。
【００３１】
本発明の実施の形態３の掃除機用床ノズル５１は、上記の如くの構成となっているので、掃除機用床ノズル５１は、不織布６０の一端を、清掃体６３に押し付けることにより係止させた後、床面７０の表面を、磨き上げることができる。また、不織布６０を使用しない場合においては、清掃体６３にて、家具、壁面、段差を有する壁部等の塵埃等を、掻き落として清掃することができる。また、家具、壁面、段差を有する壁部等を、傷つけることが無い。
【００３２】
本発明の実施の形態３の掃除機用床ノズル５１は、上記の如くの構成となっているが、清掃体６３の構造等については、目的に応じて、例えば、ブラシ繊維の配列を変更しても、何ら支障は無い。
【００３３】
【発明の効果】
以上の説明から明らかなように、本発明の実施の形態の掃除機用床ノズルは、次に示すような効果を得ることができる。なお、説明にあたっては、請求項の番号と同じ番号を付して説明する。
【００３４】
（１）床ノズルを使用した場合においては、床面がじゅうたん、カーペット、畳等の場合には、ブラシ繊維が、じゅうたんの奥、あるいは畳のいぐさの隙間にある塵埃等を、掻き出すことができる。また、床面がフローリングの場合には、ブラシ繊維が、床面の表面にある塵埃等を、掻き出すことができると共に、ブラシ繊維が、床面の表面を磨き上げることができる。また、清掃体は、開口の長手方向にたいして、２種類のブラシ繊維が、開口の中央部にたいして、概Ｖ字形状を有して、互いに隣接するよう並列に形成されてある為、床面の表面にある塵埃等を、開口の中央部に集めることができると共に、床ノズルにて、吸い込むことができる。さらにまた、清掃体は、基布及びブラシ繊維より形成されてある為、床面等を傷つけることが無い。また、本体ケースの底面後側に、回転ロータの長手方向にたいして平行になるよう、清掃体が形成されてある場合には、床ノズルを押すことにより、進行させて使用した場合においては、床面の表面にある塵埃等の吸い残しを、集めることができる。また、清掃体は、ブラシ繊維が、段差を有して、両側からブラシ繊維に挟み付けられるように形成されてある為、段差を設定することにより、床ノズル及び床面の間において、床ノズルが吸い込む時に最適になるような空気流を設定することができる。
【００３５】
（２）床ノズルを使用した場合においては、床面等を傷つけることが無く、車輪を使用することができる。また、本体ケースの底面後側に、回転ロータの長手方向にたいして平行になるよう、ローラーが形成されてあり、ローラーの外周に清掃体が形成されてある場合には、床ノズルを使用した場合においては、床面の表面にある塵埃等の吸い残しを、ローラーの外周方向に形成されてあるブラシ繊維により、拭くことができる。また、床面の表面にある、長い繊維、毛髪、糸くず等を、ローラーの外周方向に形成されてあるブラシ繊維に、巻き付けることにより、清掃することができる。
【００３６】
（３）掃除機用床ノズルは、不織布の一端を、清掃体に押し付けることにより係止させた後、床面の表面を、磨き上げることができる。また、不織布を使用しない場合においては、清掃体にて、家具、壁面、段差を有する壁部等の塵埃等を、掻き落として清掃することができる。また、家具、壁面、段差を有する壁部等を、傷つけることが無い。
【図面の簡単な説明】
【図１】従来の掃除機用床ノズルを上面側から見た斜視図である。
【図２】図１の掃除機用床ノズルを床面側から見た底面図である。
【図３】本発明の実施の形態１の掃除機用床ノズルの底面図である。
【図４】図３に使用する清掃体を前面側から見た斜視図である。
【図５】本発明の実施の形態１の他の実施例の掃除機用床ノズルを示す底面図である。
【図６】本発明の実施の形態２の掃除機用床ノズルの底面図である。
【図７】図６に使用する清掃体の断面図である。
【図８】本発明の実施の形態２の他の実施例の掃除機用床ノズルを示す底面図である。
【図９】本発明の実施の形態３の掃除機用床ノズルの底面図である。
【図１０】図９の使用状態の一例を示す断面図である。
【符号の説明】
１、１１、２１、３１、４１、５１  掃除機用床ノズル
２、１２、２２、３２、４２、５２  本体ケース  ３  清掃板
４  植毛ブラシ  ５  バンパー
６、１６、２６、３６、４６、５６  開口  ８  基布  ９  段差
１０、２０、３０、４０、５０  回転ロータ
１３、１４、２３、２４、３３、４３、５３、６３  清掃体
１８、１９、２８、２９、３８、３９、４８、４９、５８、５９
ブラシ繊維
３５  後車輪  ３７  前車輪  ４５  ローラー  ６０  不織布
７０  床面
【図１】
2004267723.tif 000003
【図２】
2004267723.tif 000004
【図３】
2004267723.tif 000005
【図４】
2004267723.tif 000006
【図５】
2004267723.tif 000007
【図６】
2004267723.tif 000008
【図７】
2004267723.tif 000009
【図８】
2004267723.tif 000010
【図９】
2004267723.tif 000011
【図１０】
2004267723.tif 000012